(57)【要約】【課題】奥行きの小さい紙箱であっても自立性が向上する組み立て式の紙箱を提案する。【解決手段】前面板は折罫線を介して天面板と底面前板を連設し、底面前板は矩形状であって中央部に矩形状の切り欠きを有し、背面板は折罫線を介して底面後板を連設し、底面後板は台形形状であって、台形の上辺に矩形状の差込突起を有し、左右の側面板は、それぞれ下部が矢羽状に凹んでおり、矢羽を形成する背面板側の斜辺から折罫線を介して左右の底面フラップが背面板側の斜辺に対して直角に連設されており、左右の底面フラップを直角に折り曲げ、底面前板と底面後板をそれぞれ鋭角に折り曲げ、前記底面後板の差込突起を前記底面前板の矩形状の切り欠きに挿入することにより、底面前板と左右の底面フラップと底面後板とが、谷状に凹んだ底面を形成し、前面板と底面前板とが形成する山稜と、背面板と底面後板とが形成する山稜が接地して自立することを特徴とする紙箱である。【選択図】図１
2018076078.tif 000002
【特許請求の範囲】
【請求項１】
前面板と背面板と左右の側面板を有し、
前面板は折罫線を介して天面板と底面前板を連設し、底面前板は矩形状であって中央部に矩形状の切り欠きを有し、
背面板は折罫線を介して底面後板を連設し、底面後板は台形形状であって、台形の上辺に矩形状の差込突起を有し、
左右の側面板は、それぞれ下部が矢羽状に凹んでおり、矢羽を形成する背面板側の斜辺から折罫線を介して左右の底面フラップが背面板側の斜辺に対して直角に連設されており、
左右の底面フラップを直角に折り曲げ、底面前板と底面後板をそれぞれ鋭角に折り曲げ、前記底面後板の差込突起を前記底面前板の矩形状の切り欠きに挿入することにより、底面前板と左右の底面フラップと底面後板とが、谷状に凹んだ底面を形成し、
前面板と底面前板とが形成する山稜と、背面板と底面後板とが形成する山稜が接地して自立することを特徴とする紙箱。
【請求項２】
前面板は、内容物が目視可能な窓部を有することを特徴とする請求項１に記載の紙箱。
【請求項３】
前面板の高さよりも背面板の高さが高く、天面板が前傾していることを特徴とする請求項１または２に記載の紙箱。
【請求項４】
天面板は中央部に貫通孔を有し、背面板は上部中央部に貫通孔を有し、該２つの貫通孔に棒状のフックを貫通させることにより、吊下げて展示できるようにしたことを特徴とする請求項３に記載の紙箱。
【発明の詳細な説明】
【技術分野】
【０００１】
本発明は紙箱に関し、特に高さの割合に奥行きの小さい紙箱であっても、自立安定性が向上する紙箱に関する。
【背景技術】
【０００２】
紙箱の底面の構造には、種々の構造が知られている。最も一般的な構造としては、特に図示しないが、キャラメル箱と称される天面、底面ともが差し込みフラップになっている構造がある。また、底面の差し込みフラップを省略し、接着剤を用いて接着したいわゆるサック貼り構造も一般的に用いられている。
【０００３】
図５、図６は、従来の他の紙箱の例を示したもので、図５は、底面の構造を示した斜視図であり、図６は、この紙箱のブランク図である。図５、６に示された底面の底組み構造は、一般に地獄底ないしはアメリカンロックと呼ばれている構造であり、接着剤なしでもある程度の底強度が得られ、箱を折畳んで保存できるため、これも広く一般的に用いられている。
【０００４】
以上に挙げた紙箱は、いずれも底面の形状がある程度の奥行きを持っている場合には箱の高さが多少高くても自立性を発揮するが、底面の奥行きが小さい箱の場合には、底面の平面性が得られず、前後方向に倒れやすくなる傾向があった。
【０００５】
その原因としては、底面板が一般的に、前面板及び背面板から折り罫線を介して連設される場合が多いが、この折り罫線が厳密に直角には曲がらないため、底面が前後方向に湾曲する傾向があり、このため底面の平面性が得られないためであると考えられている。
【０００６】
特に底面に接着剤を使用せず、組み立てのみによる箱の場合にはその傾向が強く、奥行きの小さい組み立て箱に、自立性を付与することは、困難であった。
【０００７】
特許文献１に記載された紙箱は、清酒用の１．８リットル壜等を収納する矩形断面の紙箱であって、瓶詰め工場においては、自動箱詰め機によって糊付けを伴って製函され、酒店においては、糊付け部を切り取って除去することにより、折畳んで地獄底の紙箱として再利用が可能な紙箱である。
【０００８】
特許文献１に記載された紙箱は、清酒用の１．８リットル壜等を収納するための紙箱であり、箱の形状としては縦長ではあるが、特に奥行きが小さい訳ではなく、事実この構造を採用したとしても奥行きの小さい紙箱の自立性に関する問題を解決することはできなかった。
【先行技術文献】
【特許文献】
【０００９】
【特許文献１】特開２０００−５３１１８号公報
【発明の概要】
【発明が解決しようとする課題】
【００１０】
本発明の解決しようとする課題は、奥行きの小さい紙箱であっても、自立性が向上する組み立て式の紙箱を提案するものである。
【課題を解決するための手段】
【００１１】
上記の課題を解決するための手段として、請求項１に記載の発明は、前面板と背面板と左右の側面板を有し、前面板は折罫線を介して天面板と底面前板を連設し、底面前板は矩形状であって中央部に矩形状の切り欠きを有し、背面板は折罫線を介して底面後板を連設し、底面後板は台形形状であって、台形の上辺に矩形状の差込突起を有し、左右の側面板は、それぞれ下部が矢羽状に凹んでおり、矢羽を形成する背面板側の斜辺から折罫線を介して左右の底面フラップが背面板側の斜辺に対して直角に連設されており、左右の底面フラップを直角に折り曲げ、底面前板と底面後板をそれぞれ鋭角に折り曲げ、前記底面後板の差込突起を前記底面前板の矩形状の切り欠きに挿入することにより、底面前板と左右の底面フラップと底面後板とが、谷状に凹んだ底面を形成し、前面板と底面前板とが形成する山稜と、背面板と底面後板とが形成する山稜が接地して自立することを特徴とする紙箱である。
【００１２】
本発明に係る紙箱は、左右側面板の下部が矢羽状に凹んでおり、これに伴って谷状に凹んだ底面が形成され、前面板と底面前板とが形成する山稜と、背面板と底面後板とが形成する山稜の２直線が接地するため、自立安定性が高い。
【００１３】
また、請求項２に記載の発明は、前面板が、内容物が目視可能な窓部を有することを特徴とする請求項１に記載の紙箱である。
【００１４】
また、請求項３に記載の発明は、前面板の高さよりも背面板の高さが高く、天面板が前傾していることを特徴とする請求項１または２に記載の紙箱である。
【００１５】
また、請求項４に記載の発明は、天面板が中央部に貫通孔を有し、背面板は上部中央部に貫通孔を有し、該２つの貫通孔に棒状のフックを貫通させることにより、吊下げて展示できるようにしたことを特徴とする請求項３に記載の紙箱である。
【発明の効果】
【００１６】
本発明に係る紙箱は、底面が谷状に凹んでおり、前面板と底面前板とが形成する山稜と、背面板と底面後板とが形成する山稜の２直線が接地する構造であるため、自立安定性が高い。これら２つの山稜は、直線の折罫線に由来するものであるため、仮に折りが不完全で、面同士の平面性も不完全であったとしても、山稜自体は直線性が保証され、従って自立安定性が損なわれることがない。
【００１７】
請求項３に記載の発明のように、前面板の高さよりも背面板の高さが高く、天面板が前傾している場合においては、箱の内部の高さについて見ると、背面板の直近が最も高さが高く、前に行くに従って高さが低くなる。このため、背面板の直近に平板状の物品を収納すると、箱の中で倒れることなく、安定して立った状態を保つことができる。このため、転倒防止のための詰め物等が不要であり、また物品の表面に詰め物が接触することによって生じる押し跡の問題なども回避できる。
【図面の簡単な説明】
【００１８】
【図１】図１は、本発明に係る紙箱の一実施態様を示した斜視図である。
【図２】図２は、図１に示した紙箱の縦断面を示した断面模式図である。
【図３】図３は、図１に示した紙箱のブランクの展開図である。
【図４】図４は、本発明に係る紙箱の底面の構造を示した斜視説明図である。
【図５】図５は、従来の紙箱の底面の構造を示した斜視説明図である。
【図６】図６は、図５に示した紙箱のブランクの展開図である。
【図７】図７は、本発明に係る紙箱の他の実施態様におけるブランクの展開図である。
【発明を実施するための形態】
【００１９】
以下、図面を参照しながら、本発明に係る紙箱１について詳細に説明する。図１は、本発明に係る紙箱の一実施態様を示した斜視図である。図２は、図１に示した紙箱の縦断面を示した断面模式図である。また図３は、図１に示した紙箱のブランクの展開図である。
【００２０】
図４は、本発明に係る紙箱の底面の構造を示した斜視説明図である。以下これらの図を参照しながら説明する。
【００２１】
本発明に係る紙箱１は、前面板２と背面板６と左側面板３と右側面板４を有し、前面板２は折罫線ｄ、ｃを介して天面板７と底面前板８を連設し、底面前板８は矩形状であって中央部に矩形状の切り欠き９を有する。
また背面板６は折罫線ｇを介して底面後板１０を連設し、底面後板１０は台形形状であって、台形の上辺に矩形状の差込突起１１を有する。左右の側面板３、４は、それぞれ下部に矢羽状の凹み５を有し、矢羽を形成する背面板側の斜辺１４から折罫線ｈ、ｉを介して左右の底面フラップ１２、１３が背面板側の斜辺１４に対して直角に連設されている。
【００２２】
左右の底面フラップ１２、１３を折罫線ｈ、ｉにおいて直角に折り曲げ、底面前板８と底面後板１０をそれぞれ鋭角に折り曲げ、底面後板の差込突起１１を底面前板の矩形状の切り欠き９に挿入することにより、底面前板８と左右の底面フラップ１２、１３と底面後板１０とが、谷状に凹んだ底面１８を形成する。
【００２３】
このとき前面板２と底面前板８とが形成する山稜すなわち折罫線ｃに由来する部分と、背面板６と底面後板１０とが形成する山稜すなわち折罫線ｇに由来する部分とが接地して自立することを特徴とする。
【００２４】
これら２本の山稜は、それぞれ直線状の折罫線ｃ、ｇに由来するものであるため、仮に折り癖が不十分で隣接する２つの面の平面性が十分でない場合であっても、直線性が保証されるため、箱の自立性が損なわれることがないという特徴を持っている。
【００２５】
図５は、従来の紙箱３０の底面の構造を示した斜視説明図であり、図６は、図５に示した紙箱のブランク３０Ｂの展開図である。従来の紙箱３０は、前面板２‘に底面前板８’が、また背面板６‘に底面後板１０’が、また左側面板３‘に左底面フラップ１２’が、さらに右側面板４‘に右底面フラップ１３’がそれぞれ折罫線を介して連設されている。
【００２６】
底面を構成するこれら４枚の板は、折罫線をすべて直角に折り曲げれば、理論的には平面状の底面を形成するはずであるが、実際には折罫線の折り癖や反発によって正確な直角にはならないため、特に箱の奥行きが小さい場合には、底面の中央部が膨らんでしまい、箱を立てた時にぐらぐらして安定性が悪かった。
【００２７】
本発明に係る紙箱１では、左右の側面板３、４の下部に矢羽状の凹み５を設け、矢羽を形成する背面板側の斜辺１４から折罫線ｈ、ｉを介して左右の底面フラップ１２、１３が背面板側の斜辺１４に対して直角に連設されているため、すなわち図３において底面フラップの角度θが９０°であるため、図４に示したように、底面１８が直線の谷状となり、谷の両端に、平行した２本の山稜１６、１７が形成される。
【００２８】
箱を立てた時には、この平行する２本の山稜１６、１７が接地部分となるため、箱がぐらぐらせず、自立安定性が高いのである。
【００２９】
なお、図３の例では、左右側面板下部の矢羽を形成する前面板側の斜辺１５には、何も連設されていないが、図７に示したように、背面板側の斜辺１４と同様に前面板側の斜辺１５にも折罫線を介して左右底面フラップ２（２７、２８）を連設しても良い。そうすることで、底面に隙間ができなくなる。
【００３０】
図１〜３に示した例では、前面板２に、内容物が目視可能な窓部２３が設けられている。窓部には、必要に応じて透明なフィルム等を貼り付けても良い。
【００３１】
また、図１〜３に示した例では、前面板２の高さよりも背面板６の高さが高く、天面板７が前傾している。このようにすることにより、図２に示したように、背面板６の直近に内容物２６として平板状の物品を収納すると、箱の中で倒れることなく、安定して立った状態を保つことができる。このため、転倒防止のための詰め物等が不要であり、また物品の表面に詰め物が接触することによって生じる押し跡の問題なども回避できる。
【００３２】
またさらに、図１〜３に示した例では、天面板７は中央部に貫通孔２４を有し、背面板６は上部中央部に貫通孔２５を有し、２つの貫通孔に棒状のフックを貫通させることにより、吊下げて展示できるようにしたものである。この例では、箱を吊下げても展示できるし、直立させて展示することもできる。
【符号の説明】
【００３３】
１・・・紙箱              １Ｂ・・・ブランク
２・・・前面板
３、３´・・・左側面板
４・・・右側面板
５・・・矢羽状の凹み
６、６´・・・背面板
７・・・天面板
８、８´・・・底面前板
９・・・切り欠き
１０、１０´・・・底面後板
１１・・・差込突起
１２、１２´・・・左底面フラップ
１３、１３´・・・右底面フラップ
１４・・・背面板側の斜辺
１５・・・前面板側の斜辺
θ・・・底面フラップの角度
１６・・・山稜
１７・・・山稜
１８・・・底面
１９・・・左天面フラップ
２０・・・右天面フラップ
２１・・・天面差込片
２２・・・のりしろ
２３・・・窓部
２４・・・貫通孔
２５・・・貫通孔
２６・・・内容物
２７・・・左底面フラップ２
２８・・・右底面フラップ２
３０・・・従来の紙箱            ３０Ｂ・・・従来の紙箱のブランク
【図１】
2018076078.tif 000003
【図２】
2018076078.tif 000004
【図３】
2018076078.tif 000005
【図４】
2018076078.tif 000006
【図５】
2018076078.tif 000007
【図６】
2018076078.tif 000008
【図７】
2018076078.tif 000009